(57)【要約】【課題】ユーザが視聴を開始した番組の放送時間と、視聴予約番組の放送時間とが重複する場合に、ユーザが好適な視聴を行うことができる放送受信装置を提供する。【解決手段】本発明の放送受信装置は、記録部と、複数のチャンネルを含む放送信号の受信及び選局を行う受信部とを備える。また、放送信号より各チャンネルの番組を示す番組情報を取得する番組情報取得部を備える。また、番組情報に示されている番組の中から視聴予約を行う番組の指定を受け付け、指定された番組を示す予約情報を記録部に記録する予約受付部を備える。また、受信部により選局が実施された場合に、選局されたチャンネルの番組の終了時刻である第一時刻と、予約番組の中で放送開始時刻が最も早い番組の放送開始時刻である第二時刻とを比較する重複判定部を備える。また、この比較の結果、第二時刻が第一時刻より早い時刻である場合に報知を行う報知部を備える。【選択図】図３
2011114644.tif 000002
【特許請求の範囲】
【請求項１】
記録部と、
複数のチャンネルを含む放送信号の受信及び選局を行う受信部と、
前記放送信号より各チャンネルの番組を示す番組情報を取得する番組情報取得部と、
前記番組情報に示されている番組の中から視聴予約を行う番組の指定を受け付け、指定された番組を示す予約情報を前記記録部に記録する予約受付部と
を備える放送受信装置において、
前記受信部により選局が実施された場合に、選局されたチャンネルの番組の終了時刻である第一時刻と、前記予約情報に示されている番組の中で放送開始時刻が最も早い番組の放送開始時刻である第二時刻とを比較する重複判定部と、
前記比較の結果、前記第二時刻が前記第一時刻より早い時刻である場合に報知を行う報知部とを備えること
を特徴とする放送受信装置。
【請求項２】
前記報知部が、前記比較の結果、前記第二時刻が前記第一時刻より早い時刻である場合に、前記比較がなされてから予め定められた時間が経過した時点で報知を行う、
請求項１に記載の放送受信装置。
【請求項３】
前記比較の結果、前記第二時刻が前記第一時刻より早い時刻である場合に、選局されたチャンネルの番組の視聴を優先するか否かの指定を受け付け、優先することが指定された場合に、前記第二時刻において、視聴予約がなされた番組のチャンネルへの選局を実施しないよう制御する切り替え制御部を備える、
請求項１に記載の放送受信装置。
【請求項４】
画像信号を生成する画像生成部を備え、
前記報知部が、前記比較の結果、前記第二時刻が前記第一時刻より早い時刻である場合に、報知用画像を含む画像信号を生成して出力するよう画像生成部を制御する、
請求項１に記載の放送受信装置。
【請求項５】
画像を表示する表示部と、
前記放送受信装置に対する操作指示を受け付ける操作部とを備え、
前記受信部が、前記操作部により選局指示を受け付け、
前記重複判定部が、前記選局指示により選局されたチャンネルの番組の終了時刻である第一時刻と、前記予約情報に示されている番組の中で放送開始時刻が最も早い番組の放送開始時刻である第二時刻とを比較し、
前記報知部が、前記比較の結果、前記第二時刻が前記第一時刻より早い時刻である場合に、前記表示部を用いて報知を行う、
請求項１に記載の放送受信装置。
【発明の詳細な説明】
【技術分野】
【０００１】
本発明は、テレビ放送等の放送を受信する放送受信装置に関するものであり、特に放送番組に対する視聴予約が可能な放送受信装置に関する。
【背景技術】
【０００２】
近年、テレビ等の放送受信装置において、ＥＰＧ（Electronic Program Guide）等を用いた番組情報受信機能を備えた放送受信装置が普及している。また、受信した番組情報に基づいて、視聴する番組の予約をユーザより受け付ける視聴予約機能を備えた放送受信装置が普及している。
【０００３】
ユーザはＥＰＧを用いることにより、現在放送中の番組を選択して選局を行ったり、放送予定の番組の中から視聴したい番組の視聴予約を行ったりすることができる。
【０００４】
ここで、ＥＰＧが表示された画面９０の一例を図１０に示す。なおＥＰＧを表示するための画像は、放送受信装置が備えるＯＳＤ処理部により生成される。図１０に示す画面９０は少なくとも、ＥＰＧ９１、カーソル９２、及びメッセージ表示部９３を含むように構成されている。
【０００５】
図１０に示す例では、４Ｃｈ〜１０Ｃｈの四チャンネルと、６時〜１０時までの五時間分の番組情報が表示されている。各チャンネル欄の右側には、放送予定番組の番組名が表示されている。なお図１０は、ユーザによる視聴予約がなされていない状態のＥＰＧ９１を示している。
【０００６】
初期状態では、全ての番組欄の背景色が通常色（＝白色）で表示されている。この状態において、ユーザが操作キー及び決定キー等を押下することにより、カーソル９２の移動操作、及び視聴予約する番組の決定操作が行われる。
【０００７】
カーソル９２が所定の番組に重なっている状態で決定キーが押下されると、メッセージ表示部９３に「この番組を視聴予約しますか？」というメッセージと、選択ボタンが表示される。選択ボタンの「はい」が選択されると、視聴予約がなされ、図１１に示す状態となる。
【０００８】
図１１は、８Ｃｈで９時から放送される「洋画」に対する視聴予約がなされた場合のＥＰＧ９１を示している。これにより「洋画」の背景色が変化し、強調表示が行われている。あわせて、視聴予約された番組を示す予約情報が、メモリ等に記録される。
【０００９】
以上により視聴予約が設定された番組は、その放送開始時刻が到来した際に、自動的に選局動作が行われて画面に表示される。しかしながら、視聴予約がなされていることをユーザが認識していない場合、または忘れている場合等は、それまで視聴していた番組が強制的に中断されるため、ユーザの混乱を招くという問題があった。
【００１０】
上記の問題に関連して特許文献１には、ＥＰＧを利用して録画予約した番組が重複した場合において、ユーザの使い勝手を向上させることを目的とした電子機器が開示されている。この電子機器は、ＥＰＧを利用して行った録画予約が重複した場合、重複した番組を示す情報を表示する。
【００１１】
またＥＰＧ上で、重複した番組の録画開始時間または録画終了時間の修正や取消しを受け付ける。このため、録画予約が重複した場合において、番組の一部だけを録画予約したり、録画予約を取り消したりする操作を容易に行うことができる。
【００１２】
また上記問題に関連して特許文献２には、録画予約が重複した場合において、ユーザに違和感を与えることなく予約実行処理を行う番組予約装置が開示されている。この番組予約装置は、現在時刻に基づいて録画予約の開始時刻及び終了時刻を監視する。
【００１３】
そして複数の録画予約の実行時間が重複していた場合に、重複する時間内の任意の時点に区切りを設定する。そして実行開始時刻が早い録画予約の予約実行処理をこの区切りで終了し、実行開始時刻が遅い録画予約の予約実行処理をこの区切りより開始する。
【先行技術文献】
【特許文献】
【００１４】
【特許文献１】特開平０９−１８０２９２号公報
【特許文献２】特開２００３−１５７５９６号公報
【発明の概要】
【発明が解決しようとする課題】
【００１５】
しかしながら上記の特許文献１及び特許文献２は、録画予約が重複した場合に関する技術であり、電源起動や選局により視聴開始された番組の放送時間と、視聴予約された番組の放送時間とが重複した場合において、ユーザの混乱を回避するための技術については開示も示唆もなされていない。
【００１６】
本発明の目的は、視聴予約機能を備えた放送受信装置であって、ユーザが視聴を開始した番組の放送時間と、視聴予約がなされた番組の放送時間とが重複する場合において、ユーザに混乱を与えることなく、ユーザが好適な視聴を行うことができる放送受信装置を提供することにある。
【課題を解決するための手段】
【００１７】
上記目的を達成するために本発明の放送受信装置は、記録部と、複数のチャンネルを含む放送信号の受信及び選局を行う受信部と、前記放送信号より各チャンネルの番組を示す番組情報を取得する番組情報取得部と、前記番組情報に示されている番組の中から視聴予約を行う番組の指定を受け付け、指定された番組を示す予約情報を前記記録部に記録する予約受付部とを備える放送受信装置において、前記受信部により選局が実施された場合に、選局されたチャンネルの番組の終了時刻である第一時刻と、前記予約情報に示されている番組の中で放送開始時刻が最も早い番組の放送開始時刻である第二時刻とを比較する重複判定部と、前記比較の結果、前記第二時刻が前記第一時刻より早い時刻である場合に報知を行う報知部とを備えることを特徴としている。
【００１８】
この構成によると、本発明の放送受信装置は、記録部と、複数のチャンネルを含む放送信号の受信及び選局を行う受信部とを備える。また、放送信号より各チャンネルの番組を示す番組情報を取得する番組情報取得部を備える。また、番組情報に示されている番組の中から視聴予約を行う番組の指定を受け付け、指定された番組を示す予約情報を記録部に記録する予約受付部を備える。また、受信部により選局が実施された場合に、選局されたチャンネルの番組の終了時刻である第一時刻と、予約番組の中で放送開始時刻が最も早い番組の放送開始時刻である第二時刻とを比較する重複判定部を備える。また、この比較の結果、第二時刻が第一時刻より早い時刻である場合に報知を行う報知部を備える。これにより、ユーザが試聴を開始した番組と試聴予約番組との放送時間が重複する場合に、試聴開始時に報知することができる。
【００１９】
また上記目的を達成するために本発明の放送受信装置は、前記報知部が、前記比較の結果、前記第二時刻が前記第一時刻より早い時刻である場合に、前記比較がなされてから予め定められた時間が経過した時点で報知を行う。
【００２０】
この構成によると、報知部は、第二時刻が第一時刻より早い時刻である場合に、上記比較がなされてから所定時間が経過した時点で報知を行う。これにより、ユーザが頻繁に選局操作を行った場合等において、必要性の低い報知が実施されるのを回避できる。
【００２１】
また上記目的を達成するために本発明の放送受信装置は、前記比較の結果、前記第二時刻が前記第一時刻より早い時刻である場合に、選局されたチャンネルの番組の視聴を優先するか否かの指定を受け付け、優先することが指定された場合に、前記第二時刻において、視聴予約がなされた番組のチャンネルへの選局を実施しないよう制御する切り替え制御部を備える。
【００２２】
この構成によると、第二時刻が第一時刻より早い時刻である場合に、選局されたチャンネルの番組の視聴を優先するか否かの指定を受け付ける切り替え制御部を備える。優先することが指定された場合、切り替え制御部は第二時刻において、視聴予約がなされた番組のチャンネルへの選局を実施しないよう制御する。これにより、選局中のチャンネルの番組を、ユーザが継続して試聴できるようにする。
【００２３】
また上記目的を達成するために本発明の放送受信装置は、画像信号を生成する画像生成部を備え、前記報知部が、前記比較の結果、前記第二時刻が前記第一時刻より早い時刻である場合に、報知用画像を含む画像信号を生成して出力するよう画像生成部を制御する。
【００２４】
この構成によると、本発明の放送受信装置は、画像信号を生成する画像生成部を備える。報知部は、第二時刻が第一時刻より早い時刻である場合に、報知用画像を含む画像信号を生成して出力するよう画像生成部を制御する。これにより、報知用画像を表示装置に表示することが可能である。
【００２５】
また上記目的を達成するために本発明の放送受信装置は、画像を表示する表示部と、前記放送受信装置に対する操作指示を受け付ける操作部とを備え、前記受信部が、前記操作部により選局指示を受け付け、前記重複判定部が、前記選局指示により選局されたチャンネルの番組の終了時刻である第一時刻と、前記予約情報に示されている番組の中で放送開始時刻が最も早い番組の放送開始時刻である第二時刻とを比較し、前記報知部が、前記比較の結果、前記第二時刻が前記第一時刻より早い時刻である場合に、前記表示部を用いて報知を行う。
【００２６】
この構成によると、本発明の放送受信装置は、画像を表示する表示部と、放送受信装置に対する操作指示を受け付ける操作部とを備える。受信部は、操作部により選局指示を受け付ける。重複判定部は、選局指示により選局されたチャンネルの番組の終了時刻である第一時刻と、予約情報に示されている番組の中で放送開始時刻が最も早い番組の放送開始時刻である第二時刻とを比較する。報知部は、第二時刻が第一時刻より早い時刻である場合に、表示部を用いて報知を行う。
【発明の効果】
【００２７】
本発明によれば、ユーザは番組の視聴を開始した時点、または選局を行った時点で、視聴中の番組の放送時間と視聴予約番組の放送時間とが重なっているか否かを知ることができる。これによりユーザは、選局した番組の視聴を中止するか、或いは視聴予約時刻まで選局した番組を視聴するか、或いは視聴予約番組の視聴を取りやめるか等の選択を、視聴開始時または選局時といった早い段階で行うことができる。これにより、ユーザの利便性向上を図ることができる。
【００２８】
また本発明によれば、放送時間の重複する視聴予約番組の視聴を取りやめ、選局中番組の視聴を優先したい場合に、ユーザが手動で視聴予約の取り消し操作、または視聴予約時刻の到来時における再選局操作等を行う必要がない。このため、ユーザの利便性向上を図ることができる。
【図面の簡単な説明】
【００２９】
【図１】本発明の第一の実施形態に係る放送受信装置の装置構成を示すブロック図である。
【図２】本発明の第一の実施形態に係る放送受信装置の機能構成を示すブロック図である。
【図３】本発明の第一の実施形態に係る重複判定処理の処理フローを示したフロー図である。
【図４】本発明の第一の実施形態に係る表示画面の一例を示した画面図である。
【図５】本発明の第一の実施形態に係る表示画面の一例を示した画面図である。
【図６】本発明の第二の実施形態に係る放送受信装置の機能構成を示すブロック図である。
【図７】本発明の第二の実施形態に係る重複判定処理の処理フローを示したフロー図である。
【図８】本発明の第二の実施形態に係る表示画面の一例を示した画面図である。
【図９】本発明の第二の実施形態に係る表示画面の一例を示した画面図である。
【図１０】従来のＥＰＧ表示画面の一例を示した画面図である。
【図１１】従来のＥＰＧ表示画面の一例を示した画面図である。
【発明を実施するための形態】
【００３０】
以下に本発明の第一の実施形態を、図面を参照しつつ説明する。なお、ここで示す実施形態は一例であり、本発明はここに示す実施形態に限定されるものではない。
［実施の形態１］
〈１−１．内部構成について〉
【００３１】
図１は、本発明の第一の実施形態に係るテレビジョン装置１（＝放送受信装置）を示す構成図である。テレビジョン装置１は、少なくとも、制御部１１、メモリ１２（＝記録部）、フラッシュメモリ１３（＝記録部）、チューナ１４（＝受信部）、信号処理部１５、デコーダ部１６、音声回路１７、スピーカ１８、ＯＳＤ処理部１９（＝画像生成部）、モニタ２０（＝表示部）、操作ボタン群２１（＝操作部）、及びリモコン受信部２２を含むように構成されている。また外部装置として、リモコン６０（＝操作部）を備えている。
【００３２】
制御部１１は、テレビジョン装置１の各部材の駆動を制御することにより、放送受信処理等を統括制御するためのものである。制御部１１は例えば、複数のマイクロプロセッサから構成されている。
【００３３】
また制御部１１は、制御部１１が備える演算処理装置上で所定のプログラムを実行することにより実現される機能部として、番組情報取得部１１ａ〜報知部１１ｄ（図２）を備えている。なお、各機能部の詳細については後述する。
【００３４】
メモリ１２は、テレビジョン装置１が保持する各種データを一時的に記録する媒体であり、例えば書込可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３５】
フラッシュメモリ１３は、書き換え可能であり、電源を切ってもデータが消えない不揮発性半導体メモリである。フラッシュメモリ１３はＥＥＰＲＯＭの一種であるが、ＥＥＰＲＯＭとは異なり１バイト単位の書き換えはできず、予めブロック単位で消去してから書き込みを行う。本発明では、ＥＰＧに関連する情報等を記録するのに用いられる。
【００３６】
チューナ１４は、テレビ放送の選局、及び高周波信号の受信を行うと共に、高周波信号の増幅及び周波数変換を行うことにより中間周波信号を得る。得られた中間周波信号は、次の信号処理部１５に与えられる。
【００３７】
信号処理部１５は、チューナ１４から入力された中間周波信号の増幅及び検波を行うことにより、ＭＰＥＧ２方式のデジタル伝送信号であるＴＳ（＝トランスポートストリーム）の取得を行う。なおＴＳとは、複数の番組の音声ＰＥＳ（Packetized Elementary Stream）、画像ＰＥＳ、及び付加情報を固定長のＴＳパケットに分割してつなぎ合わせたものである。取得されたＴＳは、デコーダ部１６へ与えられる。
【００３８】
デコーダ部１６は、信号処理部１５より与えられたＴＳをＴＳパケットに分割する。そしてＴＳパケットを番組毎に再結合することにより、音声・画像のＰＥＳを生成する。さらにＰＥＳを結合することにより、ＥＳ（Elementary Stream＝符号化された音声・画像データ）を生成する。さらにデコーダ部１６はＥＳの復号を行い、デジタル信号に変換する。復号により得られた音声デジタル信号は音声回路１７へ、画像デジタル信号はＯＳＤ処理部１９へ与えられる。
【００３９】
またデコーダ部１６は、ＴＳに含まれるＰＳＩ（Program Specific Information）やＳＩ（Service Information）といった付加情報の取得を行う。ＰＳＩは画像や音声とは別のＰＩＤ（＝パケット識別子）を持つＴＳパケットであり、ＴＳにどのような番組が存在し、ＴＳに含まれる各ＥＳがどの番組に属しているかを示す情報である。
【００４０】
またＳＩは、ＰＳＩを拡張したものであり、主にＥＰＧに関する情報が含まれている。ＳＩには複数の種類があり、例えば番組の名称を含むＳＤＴ（Service Description Table）や、番組の放送日時や放送内容を含むＥＩＴ（Event Information Table）等が存在する。デコーダ部１６は取得したこれらの付加情報を、制御部１１に与える。
【００４１】
音声回路１７は、デコーダ部１６より与えられた音声デジタル信号にＤ／Ａ変換及び増幅処理を行い、音声をスピーカ１８より出力する。
【００４２】
ＯＳＤ処理部１９は、画像を表示するための画像信号を生成し、デコーダ部１６より与えられた画像信号に重畳する。ＯＳＤ処理部１９は例えば、ＥＰＧの表示指示が発行された場合において、ＴＳより抽出されたＳＩ等を用いてＥＰＧ画像を表示するための画像信号を重畳する。重畳が行われた画像信号は原色信号に変換された後、モニタ２０に表示される。
【００４３】
操作ボタン群２１は、ユーザが選局指示や電源の起動／停止指示等の各種指示をテレビジョン装置１に対して行うためのものである。操作ボタン群２１により出力された指示は、制御部１１により受け付けられ、指示の内容に基づいて各種制御処理を行う。
【００４４】
リモコン受信部２２は、リモコン６０から送信される赤外線信号を受け付け、赤外線信号に含まれているリモコンコードを取得する。そしてリモコンコードに応じた制御指示を制御部１１に与える。リモコン６０はテレビジョン装置１を遠隔操作するための外部装置である。
〈１−２．機能部の構成について〉
【００４５】
ここで、本発明に係るテレビジョン装置１における重複判定処理を実施するための各機能部の関係を、図２の機能ブロック図を用いながら説明する。
【００４６】
番組情報取得部１１ａは、デコーダ部１６がＴＳより取得したＳＩの解析を行うことにより、各局の放送中番組及び放送予定番組の放送時間を示す放送時間情報を取得する。具体的には、ＳＩの一種であるＥＩＴを参照することにより、放送時間情報を取得する。なおＥＩＴは、自局の放送中番組及び放送予定番組の他に、他局の放送中番組及び放送予定番組に関する情報を含めることも可能である。
【００４７】
予約受付部１１ｂは、図１０及び図１１に示すＥＰＧ９１と操作ボタン群２１等とを用いて、視聴予約を行う番組の指定をユーザから受け付ける。そして指定された番組を示す予約情報を、メモリ１２等に記録する。なお、視聴予約処理の詳細については従来技術と同様であるため、ここでは説明を省略する。
【００４８】
重複判別部１１ｃは、チューナ１４により選局されて受信中である番組（以下、「番組Ａ」という）の放送終了時刻（＝第一時刻。以下、「Ｔ１」という）と、視聴予約されている番組のうち放送開始時刻が最も早い番組（以下、「番組Ｂ」という）の放送開始時刻（＝第二時刻。以下、「Ｔ２」という）との比較を行う。
【００４９】
そして、Ｔ２がＴ１より早い時刻であるか否かを確認することにより、番組Ａの放送時間と番組Ｂの放送時間とが重複するか否かの判定を行う。両放送時間が重複すると判定された場合、判定結果を次の報知部１１ｄに与える。
【００５０】
なお上記のＴ１及びＴ２の取得は、番組情報取得部１１ａが取得する番組情報に含まれる放送時間情報を用いて行う。また、判定が行われるタイミングとしては、例えば選局指示や電源起動指示を操作ボタン群２１等により受け付けた場合に行う。
【００５１】
報知部１１ｄは、上記重複判別部１１ｃより上記の判定結果を受けた場合、つまり放送時間が重複すると判定された場合に、放送時間が重複することを示す報知を行う。具体的には例えば、放送時間が重複する番組Ｂを示す警告画像を生成してモニタ２０に表示するよう、ＯＳＤ処理部１９を制御する。あわせて、警告音をスピーカ１８より出力するよう、音声回路１７を制御する形態でもよい。
【００５２】
〈１−３．重複判定処理について〉
ここで、本発明の第一の実施形態に係るテレビジョン装置１による重複判定処理を、図３のフロー図を用いながら説明する。
【００５３】
図３は、本発明の第一の実施形態に係る重複判定処理の処理フローを示したフロー図である。図３に示す処理は、テレビジョン装置１の電源が起動されて番組表示状態となった場合、または番組表示状態において選局動作が行われた場合に開始される。
【００５４】
本処理の開始後、重複判定部１１ｃはステップＳ１１０において、現在時刻の取得を行う。次に重複判定部１１ｃはステップＳ１２０において、メモリ１２またはフラッシュメモリ１３に記録されているＥＰＧから、上述のＴ１を取得する。なお、予めＥＰＧが記録されていない場合は、ＥＰＧを取得するよう番組情報取得部１１ａに指示する。
【００５５】
次に重複判定部１１ｃはステップＳ１３０において、現在時刻から最も近い番組Ｂを、メモリ１２またはフラッシュメモリ１３に記録されているＥＰＧ及び予約情報から判別する。そして判別した番組Ｂの開始時刻であるＴ２を取得する。
【００５６】
次に重複判定部１１ｃはステップＳ１４０において、Ｔ１がＴ２よりも遅い時刻であるか否かを判定する。Ｔ１がＴ２よりも遅い時刻ではない場合、視聴時間が重複しないとみなし、本処理を終了する。Ｔ１がＴ２よりも遅い時刻である場合、視聴時間が重複するとみなし、ステップＳ１５０へ移行する。
【００５７】
次に報知部１１ｄはステップＳ１５０において、上記の判定処理が行われてから所定時間、例えば一分が経過したか否かを判定する。所定時間が経過していない場合、報知部１１ｄはステップＳ１６０において、選局指示を検知したか否か、つまりユーザが視聴している番組Ａを変更したか否かを判定する。
【００５８】
選局指示を検知していない場合、再びステップＳ１５０へ移行し、経過時間の監視を継続して行う。選局指示を検知した場合、再びステップＳ１１０へ移行し、選局後の番組ＡについてＴ１を取得し、再度Ｔ１とＴ２との比較を行う。
【００５９】
ステップＳ１５０に戻って説明を行うと、所定時間が経過した場合、報知部１１ｄはステップＳ１７０において、警告メッセージを示す報知用画像９４をＯＳＤ処理部１９により生成し、モニタ２０に表示した後、本処理を終了する。
【００６０】
これにより例えば、図４または図５に示す画面９０が表示される。なお図４は、ユーザが操作ボタン群２１に含まれる選局キーで選局を行い、選局された番組Ａの放送時間が番組Ｂの放送時間と重なった場合の警告表示画面を示している。
【００６１】
また図５は、ユーザが操作ボタン群２１に含まれる操作キーとＥＰＧ９１とを用いて選局を行い、選局された番組Ａの放送時間が番組Ｂ（図中の「洋画」）の放送時間と重なった場合の警告表示画面を示している。
【００６２】
以上に説明した本実施形態によれば、ユーザは番組Ａの視聴を開始した時点で、番組Ｂの放送時間が重なっていることを知ることができる。これによりユーザは、視聴を開始した時点で、下記の選択を行うことができる。これにより、ユーザの利便性向上を図ることができる。
１．番組Ａの視聴を中止し、番組Ｂの開始時刻までに終了する別の番組の視聴を行う。
２．番組Ｂの開始時刻直前まで、番組Ａを視聴してから番組Ｂを視聴する。
３．番組Ｂの視聴は取りやめ、番組Ａの視聴を優先する。
４．ビデオレコーダ等の記録装置がある場合、番組Ａまたは番組Ｂを録画する。
［実施の形態２］
〈２−１．内部構成について〉
【００６３】
実施の形態１と同内容であるため、説明を省略する。
〈２−２．機能部の構成について〉
【００６４】
本実施形態の制御部１１は、実施の形態１の報知部１１ｄに代わり、切り替え制御部１１ｅを備えている。切り替え制御部１１ｅは、選局された番組Ａの放送時間と視聴予約されている番組Ｂの放送時間とが重複する場合に、番組Ａの視聴を優先するか否かの指示をユーザより受け付ける。そしてこの指示に基づいて、表示する番組の切り替え制御を行う。なお、切り替え制御部１１ｅが実施する処理の詳細については後述する。
〈２−３．重複判定処理について〉
【００６５】
ここで、本発明の第二の実施形態に係る重複判定処理について、図７のフロー図を用いて説明する。なお、実施の形態１の図３と同内容の処理については、同一のステップ番号を付加することにより説明を省略するものとする。
【００６６】
ステップＳ１１０〜ステップＳ１４０が実行され、且つステップＳ１４０においてＴ１がＴ２より遅い時刻であると判定された場合、切り替え制御部１１ｅはステップＳ１８０において、上記判定がなされてから所定時間が経過したか否かを判定する。経過していない場合、ステップＳ１６０へ移行する。
【００６７】
所定時間が経過した場合、切り替え制御部１１ｅはステップＳ１９０において、番組Ａの視聴を優先するか否かの指示を受け付けるための指示受け付け画像９５をＯＳＤ処理部１９により生成し、モニタ２０に表示する。
【００６８】
これにより例えば、図８または図９に示す画面９０が表示される。なお図８は、ユーザが操作ボタン群２１に含まれる選局キーで選局を行い、選局された番組Ａの放送時間が番組Ｂの放送時間と重なった場合の選択画面を示している。
【００６９】
また図９は、ユーザが操作ボタン群２１に含まれる操作キーとＥＰＧ９１とを用いて選局を行い、選局された番組Ａの放送時間が番組Ｂ（図中の「洋画」）の放送時間と重なった場合の選択画面を示している。
【００７０】
上記の画面９０を表示した状態で、切り替え制御部１１ｅはステップＳ２００において、番組Ａの視聴を優先する指示（以下、「視聴優先指示」という）を検知したか否かを判定する。例えば画面中の「はい」が操作ボタン群２１の操作キーにより選択され、決定キーが押下された場合に、視聴優先指示を検知したとみなす。
【００７１】
所定時間を経過しても視聴優先指示を検知しなかった場合、本処理を終了する。所定時間内に視聴優先指示を検知した場合、切り替え制御部１１ｅはステップＳ２１０において、Ｔ２が到来した時点で番組Ｂへの選局動作を禁止し、番組Ａの選局を継続するよう、選局制御を行う。なお、Ｔ２が到来するまでに選局操作により番組Ａが変更された場合や、視聴が停止された場合は、上記の選局制御は行わないものとする。
【００７２】
以上に説明した本実施形態によれば、ユーザが番組Ｂの視聴予約を取りやめ、番組Ａの視聴を優先したい場合に、視聴予約の取り消し操作や、Ｔ２到来時における再選局操作等を行う必要がない。このため、ユーザの利便性向上を図ることができる。
［その他の実施の形態］
【００７３】
以上、好ましい実施の形態及び実施例をあげて本発明を説明したが、本発明は必ずしも上記実施の形態に限定されるものではなく、その技術的思想の範囲内において様々に変形して実施することができる。
【００７４】
従って本発明は、以下の形態にも適用可能である。
【００７５】
（Ａ）上記実施形態では、本発明の重複判定処理に関わる各機能部が、マイクロプロセッサ等の演算処理装置上で所定のプログラムを実行することにより実現されているが、これら機能部が複数の回路により実現される形態でもよい。
【００７６】
（Ｂ）上記実施形態では、本発明の重複判定処理を実施する放送受信装置としてテレビジョン装置１を例に説明を行っているが、番組情報の受信機能を備えた放送受信装置であれば、これ以外の装置において本発明を実施する形態でもよい。例えば、ＨＤＤ（Hard Disk Drive）レコーダ、携帯電話、セットトップボックス、パーソナルコンピュータ等で実施する形態でもよい。
【００７７】
（Ｃ）上記実施形態では、視聴優先指示を検知した場合に、Ｔ２到来時における番組Ｂへの切り替えを禁止しているが、視聴優先指示を検知した時点で重複する番組Ｂの予約を取り消すよう、切り替え制御部１１ｅが制御を行う形態でもよい。
【００７８】
（Ｄ）上記実施形態では、視聴予約がなされている番組のうち最も開始時刻が早い番組Ｂのみをチェック対象としているが、複数の視聴予約がなされている場合、視聴予約がなされている全ての番組の放送開始時刻と、上記のＴ１とを比較する形態でもよい。これにより、放送時間が重複する番組が複数存在する場合に、その全ての番組名を報知したり、或いはその全てを視聴対象外としたりすることができる。
【００７９】
（Ｅ）上記実施形態では、デジタル方式の放送受信装置を例に説明を行っているが、アナログ方式の放送受信装置において本発明を実施する形態でもよい。例えば、アナログ放送波のＶＢＩ（Vertical Blanking Interval）よりＥＰＧを取得して視聴予約を行う放送受信装置において、本発明の重複判定処理を行う形態でもよい。
【００８０】
（Ｆ）上記実施形態では、番組Ａと放送時間が重なるか否かを判定する対象番組として視聴予約番組を例に説明を行っているが、これ以外の番組を対象として重複判定を行う形態でもよい。例えば、録画予約がなされている番組に対して重複判定を行い、重複する録画予約番組が存在する場合に、その番組名をＯＳＤ等により報知する形態でもよい。
【００８１】
（Ｇ）上記実施形態では、放送波に含まれるＥＰＧより番組情報を取得しているが、これ以外の方法により番組情報を取得する形態でもよい。例えば放送受信装置がインターネット等の広域通信網に接続する通信機能を備えている場合、広域通信網を介して番組情報を取得する形態でもよい。
【符号の説明】
【００８２】
１      テレビジョン装置（放送受信装置）
１１    制御部
１１ａ  番組情報取得部
１１ｂ  予約受付部
１１ｃ  重複判定部
１１ｄ  報知部
１１ｅ  切り替え制御部
１２    メモリ（記録部）
１４    チューナ（受信部）
１５    信号処理部
１６    デコーダ
１９    ＯＳＤ処理部（画像生成部）
２０    モニタ（表示部）
２１    操作ボタン群（操作部）
６０    リモコン（操作部）
【図１】
2011114644.tif 000003
【図２】
2011114644.tif 000004
【図３】
2011114644.tif 000005
【図４】
2011114644.tif 000006
【図５】
2011114644.tif 000007
【図６】
2011114644.tif 000008
【図７】
2011114644.tif 000009
【図８】
2011114644.tif 000010
【図９】
2011114644.tif 000011
【図１０】
2011114644.tif 000012
【図１１】
2011114644.tif 000013